【手続補正書】
【提出日】平成20年4月30日(2008.4.30)
【手続補正１】
【補正対象書類名】明細書
【補正対象項目名】特許請求の範囲
【補正方法】変更
【補正の内容】
【特許請求の範囲】
【請求項１】  ハイパーリンクを機能強化する方法であって：
ハイパーリンクをアプリケーションの第１のウィンドウに表示することより成り、前記ハイパーリンクはＵＲＬ(uniform resource locator)及びページと関連付けられ；
更に、前記ハイパーリンクの付近でカーソルを検出することと；
前記カーソルが前記ハイパーリンクの付近にある間、前記カーソルの付近にグラフィカル・ツールバーを表示することとから成り、前記グラフィカル・ツールバーは前記ハイパーリンクに基づくリンク・スナップショットを表示すべくユーザによる選択可能なリンク・エンハスメントを提供するようになっており；
更に、前記リンク・エンハンスメントの第１のユーザ選択を受け取ることと；
前記第１のユーザ選択の結果として、表示可能なエレメントと、前記ハイパーリンクと関連付けられた前記ＵＲＬとを取得することと、
リンク・スナップショットを表示することとから成り、前記リンク・スナップショットが前記の取得された表示可能なエレメントを含み、かつ前記の取得されたＵＲＬと関連付けられ、前記リンク・スナップショットが前記ページを該リンク・スナップショットの第２のユーザ選択の結果として表示させるようになっており、前記の表示されるべきページが前記の取得されたＵＲＬに基づくものである方法。
【請求項２】  請求項１に記載の方法であって、前記の表示可能なエレメントを取得することが更にそのサイズを縮小することを含む方法。
【請求項３】  請求項１に記載の方法であって、前記リンク・スナップショットが前記第１のウィンドウを表示するディスプレイの端に表示される方法。
【請求項４】  請求項１に記載の方法であって、更に、前記リンク・スナップショットの前記第２のユーザ選択の時に前記ページを第２のウィンドウに表示することから成る方法。
【請求項５】  請求項１に記載の方法であって、更に、前記第１のウィンドウが閉じられた際に前記リンク・スナップショットを保持することから成る方法。
【請求項６】  請求項１に記載の方法であって、前記リンク・スナップショットを取得して表示することが第２のアプリケーションによって実行される方法。
【請求項７】  請求項１に記載の方法であって、前記の表示可能なエレメントがグラフィック・エレメントから成る方法。
【請求項８】  請求項１に記載の方法であって、前記の表示可能なエレメントがテキスト・エレメントから成る方法。
【請求項９】  ハイパーリンクを機能強化する方法であって：
ハイパーリンクを持つ第１のページをアプリケーションの第１のウィンドウに表示することより成り、前記第１のページは第１のＵＲＬ(uniform resource locator)と関連付けられ、前記ハイパーリンクは第２のＵＲＬ及び第２のページと関連付けられ；
更に、前記ハイパーリンクの付近でカーソルを検出することと；
前記カーソルが前記ハイパーリンクの付近にある間、前記カーソルの付近にグラフィカル・ツールバーを表示することとから成り、前記グラフィカル・ツールバーは前記第１のＵＲＬに基づくアイコンを表示すべくユーザによる選択可能なリンク・エンハスメントを提供するようになっており；
更に、前記リンク・エンハンスメントの第１のユーザ選択を受け取ることと；
前記第１のユーザ選択の結果として、前記第１のページと関連付けられた前記第１のＵＲＬを取得することと；
アイコンを表示することとから成り、前記アイコンは前記の取得した第１のＵＲＬと関連付けられ、前記アイコンは前記第１のページを該アイコンの第のユーザ選択の結果として表示するようになっており；
更に、前記第２のページを前記第１のウィンドウに表示することから成る方法。
【請求項１０】  請求項９に記載の方法であって、前記アイコンが前記第１のウィンドウを表示するディスプレイの端に表示される方法。
【請求項１１】  請求項９に記載の方法であって、前記アイコンが前記グラフィカル・ツールバーにボタンとして表示される方法。
【請求項１２】  請求項９に記載の方法であって、前記アイコンを取得して表示することが第２のアプリケーションによって実行される方法。
【請求項１３】  ハイパーリンクを機能強化する方法であって：
ユーザによる選択可能なリンク・エンハスメントをツールバーに提供することより成り、前記ツールバーはアプリケーションの第１のウィンドウのハイパーリンクに関してカーソルの位置に基づいて表示可能であり、前記ハイパーリンクはＵＲＬ(uniform resource locator)及びページと関連付けられ、前記のユーザによる選択可能なリンク・エンハスメントは前記ハイパーリンクに基づくリンク・スナップショットを表示するようになっており；
更に、前記リンク・エンハスメントの第１のユーザ選択の指示を受け取ることと；
前記第１のユーザ選択の結果として、表示可能なエレメントと、前記ハイパーリンクと関連付けられた前記ＵＲＬとを取得することと、
リンク・スナップショットを表示することとから成り、前記リンク・スナップショットが前記の取得された表示可能なエレメントを含み、かつ前記の取得されたＵＲＬと関連付けられ、前記リンク・スナップショットが前記ページを該リンク・スナップショットの第２のユーザ選択の結果として表示させるようになっており、前記の表示されるべきページが前記の取得されたＵＲＬに基づくものである方法。
【請求項１４】  請求項１３に記載の方法であって、前記の表示可能なエレメントを取得することが更にそのサイズを縮小することを含む方法。
【請求項１５】  請求項１３に記載の方法であって、前記リンク・スナップショットが前記第１のウィンドウを表示するディスプレイの端に表示される方法。
【請求項１６】  請求項１３に記載の方法であって、更に、前記リンク・スナップショットの前記第２のユーザ選択の時に前記ページを第２のウィンドウに表示することから成る方法。
【請求項１７】  請求項１３に記載の方法であって、更に、前記第１のウィンドウが閉じられた際に前記リンク・スナップショットを保持することから成る方法。
【請求項１８】  請求項１３に記載の方法であって、前記リンク・スナップショットを取得して表示することが第２のアプリケーションによって実行される方法。
【請求項１９】  請求項１３に記載の方法であって、前記の表示可能なエレメントがグラフィック・エレメントから成る方法。
【請求項２０】  請求項１３に記載の方法であって、前記の表示可能なエレメントがテキスト・エレメントから成る方法。
【請求項２１】  ハイパーリンクを機能強化する方法であって：
ユーザによる選択可能なリンク・エンハスメントをツールバーに提供することより成り、前記ツールバーはアプリケーションの第１のウィンドウの第１のページのハイパーリンクに関してカーソルの位置に基づいて表示可能であり、前記第１のページは第１のＵＲＬ(uniform resource locator)と関連付けられ、前記ハイパーリンクは第２のＵＲＬ及び第２のページと関連付けられ、前記のユーザによる選択可能なリンク・エンハスメントは前記第１のＵＲＬに基づくアイコンを表示するようになっており；
更に、前記リンク・エンハスメントの第１のユーザ選択の指示を受け取ることと；
前記第１のユーザ選択の結果として、前記第１のページと関連付けられた前記第１のＵＲＬとを取得することと、
アイコンを表示することとから成り、前記アイコンが前記の取得された第１のＵＲＬと関連付けられ、前記アイコンが前記第１ページを該アイコンの第２のユーザ選択の結果として表示させるようになっている方法。
【請求項２２】  請求項２１に記載の方法であって、前記アイコンが前記第１のウィンドウを表示するディスプレイの端に表示される方法。
【請求項２３】  請求項２１に記載の方法であって、前記アイコンが前記グラフィカル・ツールバーにボタンとして表示される方法。
【請求項２４】  請求項２１に記載の方法であって、前記アイコンを取得して表示することが第２のアプリケーションによって実行される方法。
【請求項２５】  請求項２１に記載の方法であって、更に、前記アイコンの前記第２のユーザ選択の時に前記第１のページを第２のウィンドウに表示することから成る方法。
【請求項２６】  ハイパーリンクを機能強化する方法であって：
ユーザによる選択可能なリンク・エンハスメントをツールバーに提供することより成り、前記ツールバーはアプリケーションの第１のウィンドウの第１のページのハイパーリンクに関してカーソルの位置に基づいて表示可能であり、前記第１のページは第１のＵＲＬ(uniform resource locator)と関連付けられ、前記ハイパーリンクは第２のＵＲＬ及び第２のページと関連付けられ、前記のユーザによる選択可能なリンク・エンハスメントは前記第１のＵＲＬに基づくグラフィカル・エレメントを表示するようになっており；
更に、前記リンク・エンハスメントの第１のユーザ選択の指示を受け取ることと；
前記第１のユーザ選択の結果として、前記第１のページと関連付けられた前記第１のＵＲＬとを取得することと、
グラフィカル・エレメントを表示することとから成り、前記グラフィカル・エレメントが前記の取得された第１のＵＲＬと関連付けられ、前記グラフィカル・エレメントが前記第１のページを該グラフィカル・エレメントの第２のユーザ選択の結果として表示させるようになっている方法。
【請求項２７】  請求項２６に記載の方法であって、前記グラフィカル・エレメントが前記第１のウィンドウを表示するディスプレイの端に表示される方法。
【請求項２８】  請求項２６に記載の方法であって、前記グラフィカル・エレメントが前記グラフィカル・ツールバーにボタンとして表示される方法。
【請求項２９】  請求項２６に記載の方法であって、前記グラフィカル・エレメントを取得して表示することが第２のアプリケーションによって実行される方法。
【請求項３０】  請求項２６に記載の方法であって、更に、前記アイコンの前記第２のユーザ選択の時に前記第１のページを第２のウィンドウに表示することから成る方法。